(57)【要約】【課題】構造が簡単でコスト安となるように工夫する。【解決手段】接点用レール６と係止用レール７とが上下位置に設けられたダクトレール１と、放電灯用のインバータ等を収納したインバータケース２とを備えて、上記インバータケース２の一端部には、レバー部８ｂの約９０度回動操作で、上記ダクトレール１の接点用レール６に接触可能な接点１１と、係止用レール７に係止可能な第１係止片１２とを有するレバー式取付け具８Ａが設けられるとともに、他端部には、インバータケース２の約９０度回動操作で、係止用レール７に係止可能な第２係止片１５が設けられている。【選択図】  図１
2005071622.tif 000002
【特許請求の範囲】
【請求項１】
接点用レールと係止用レールとが上下位置に設けられたダクトレールと、放電灯用のインバータ等を収納したインバータケースとを備えて、上記インバータケースの一端部には、レバー部の約９０度回動操作で、上記ダクトレールの接点用レールに接触可能な接点と、係止用レールに係止可能な第１係止片とを有するレバー式取付け具が設けられるとともに、他端部には、インバータケースの約９０度回動操作で、係止用レールに係止可能な第２係止片が設けられていることを特徴とするダクトレールのインバータケース取付け構造。
【請求項２】
上記第２係止片は、上記インバータケースの絶縁壁から一体的に立ち上がって、上記ダクトレール内に嵌入して底当たり可能なボス部と、このボス部から両側に突出する係止ピン部とでなる請求項１記載のダクトレールのインバータケース取付け構造。
【請求項３】
上記係止ピン部は、上記ボス部に貫通するように打ち込まれた金属製バネピンである請求項２記載のダクトレールのインバータケース取付け構造。
【発明の詳細な説明】
【０００１】
【発明の属する技術分野】
本発明は、ダクトレールのインバータケース取付け構造に関する。
【０００２】
【従来の技術】
従来、図４および図５に示すように、天井に固定したダクトレール１にインバータケース２を取付けて、このインバータケース２に、スポットライト用の放電灯３とその反射傘４とを設けたものがある。
【０００３】
上記ダクトレール１は、図４（ｂ）のように、金属材で下向き略Ｃ字状断面に形成され、その全面が絶縁材１ａで被覆されていて、底部にアース接点用レース５が設けられ、上部両側位置に電源接点用レール６が設けられ、下部両側位置に係止用レール７が設けられたものである。
【０００４】
上記インバータケース２は、長方形状の箱体であって、内部に放電灯用のインバータ（安定器）等が収納されて、上面の両端部には、レバー式取付け具８Ａ，８Ｂがそれぞれ設けられている。このインバータケース２は、重量のある長方形状の箱体であることから、両端部に取付け具を必要とする。
【０００５】
上記レバー式取付け具８Ａ，８Ｂの内、一端部のレバー式取付け具８Ａは、ベース８ａがインバータケース２の上面に固定され、このベース８ａで回動可能に支持されて上方に突出するボス部材９に、上記ダクトレール１のアース接点用レール５に接触可能なアース用接点１０と、上記電源接点用レール６に接触可能な電源用接点１１と、上記係止用レール７に係止可能な係止片１２とが設けられている（例えば、特許文献１参照）。
【０００６】
そして、図４（ａ）のように、ボス部材９をダクトレール１内に嵌入して、頂部のアース用接点１０をアース接点用レール５に底当てして接触させた状態で、ボス部材９から外部に臨ませたレバー８ｂを約９０度で回動操作Ｒ１すると、ボス部材９とともに電源用接点１１と係止片１２とが約９０度で回動して、二点鎖線で示すように、電源用接点１１が電源接点用レール６に接触すると同時に係止片１２が係止用レール７に係止されるようになる。
【０００７】
また、他端部のレバー式取付け具８Ｂは、ベース８ａがインバータケース２の上面に固定され、このベース８ａで回動可能に支持されて上方に突出するボス部材９に、上記ダクトレール１の係止用レール７に係止可能な係止片１２だけが設けられている。
【０００８】
そして、上記レバー式取付け具８Ａと同様にして、ボス部材９をダクトレール１内に嵌入して、ボス部材９から外部に臨ませたレバー８ｂを約９０度で回動操作Ｒ２すると、ボス部材９とともに係止片１２とが約９０度で回動して、係止片１２が係止用レール７に係止されるようになる。
【０００９】
【特許文献１】
特開２０００−４８９２８号公報
【００１０】
【発明が解決しようとする課題】
上記一端部のレバー式取付け具８Ａは、インバータケース２の一端部の取付けと各接点１０，１１の接触とを兼ねるようになっているが、他端部のレバー式取付け具８Ｂは、インバータケース２の他端部の取付けだけのために設けられたものである（いわゆるダミー）。
【００１１】
したがって、インバータケース２に、構造が複雑なレバー式取付け具８Ａ，８Ｂを２個設けることは、コストアップになるという問題があった。
【００１２】
本発明は、上記問題を解消するためになされたもので、構造が簡単でコスト安となるように工夫したダクトレールのインバータケース取付け構造を提供することを課題とするものである。
【００１３】
【課題を解決するための手段】
上記課題を解決するために、本発明は、接点用レールと係止用レールとが上下位置に設けられたダクトレールと、放電灯用のインバータ等を収納したインバータケースとを備えて、上記インバータケースの一端部には、レバー部の約９０度回動操作で、上記ダクトレールの接点用レールに接触可能な接点と、係止用レールに係止可能な第１係止片とを有するレバー式取付け具が設けられるとともに、他端部には、インバータケースの約９０度回動操作で、係止用レールに係止可能な第２係止片が設けられていることを特徴とするダクトレールのインバータケース取付け構造を提供するものである。
【００１４】
請求項２のように、上記第２係止片は、上記インバータケースの絶縁壁から一体的に立ち上がって、上記ダクトレール内に嵌入して底当たり可能なボス部と、このボス部から両側に突出する係止ピン部とでなるのが好ましい。
【００１５】
請求項３のように、上記係止ピン部は、上記ボス部に貫通するように打ち込まれた金属製バネピンであるのがより好ましい。
【００１６】
【発明の作用および効果】
本発明によれば、インバータケースの他端部の第２係止片をダクトレール内に嵌入して、インバータケースを約９０度で回動操作すると、第２係止片が係止用レールに係止されるようになり、ついで、一端部のレバー式取付け具のレバー部を約９０度で回動操作すると、第１係止片が係止用レールに係止されるようになる。
【００１７】
これにより、インバータケースの他端部に複雑なダミーのレバー式取付け具を設ける必要が無くなるとともに、第２係止片自体は簡単な構造であるので、コスト安になる。
【００１８】
また、第２係止片をインバータケースの絶縁壁から一体的に立ち上げたボス部の係止ピン部で構成すると（請求項２）、インバータケースの絶縁壁の成形と同時に形成できるので、よりコスト安になる。
【００１９】
さらに、係止ピン部をボス部に打ち込んだ金属製バネピンで構成すると（請求項３）、ボス部の成形用型が簡略化してコスト安になるとともに、既製の安価なバネピンを合理的に利用することができ、強度も充分に確保することができる。
【００２０】
【発明の実施の形態】
以下、本発明の実施の形態を図面を参照して詳細に説明する。なお、先行技術と同一構成・作用の箇所は同一番号を付して詳細な説明は省略する。
【００２１】
図１に示すように、天井に固定されるダクトレール１およびインバータケース２は、従来と同じ構造であるが、インバータケース２の本体２ａは、強度の点からアルミダイキャスト製であって、短辺側の両側壁２ｂ，２ｃは、絶縁性を有する合成樹脂製として（絶縁壁）、ねじ等で本体２ａに固定するようになっている。
【００２２】
上記インバータケース２の上面の一端部〔図１（ａ）では下側〕には、レバー式取付け具８Ａが設けられている。このレバー式取付け具８Ａは、従来と同じ構造であって、ベース８ａがインバータケース２の上面に固定され、このベース８ａで回動可能に支持されて上方に突出するボス部材９に、上記ダクトレール１のアース接点用レール５に接触可能なアース用接点１０と、上記電源接点用レール６に接触可能な電源用接点１１と、上記係止用レール７に係止可能な係止片（第１係止片）１２とが設けられている。
【００２３】
上記インバータケース２の上面の他端部〔図１（ａ）では上側〕には、回動式取付け具（第２係止片）１５が設けられている。この回動式取付け具１５は、上記インバータケース２の一方の合成樹脂製側壁２ｃから一体的に立ち上がったボス部２ｄを有し、このボス部２ｄは、図２に示すように、上端２ｅが半球状に形成されて、上記ダクトレール１内に嵌入したときに、上端２ｅが上記アース用接点レール５に底当たりして、嵌入位置が規制されるようになる。なお、ボス部２ｄは、絶縁材であるから電気的なショートは発生しない。
【００２４】
上記ボス部２ｄには、上端２ｅをダクトレール１のアース用接点レール５に底当たりさせた状態で、係止用レール７に対向する高さ位置に、ボス部２ｄを貫通する金属製バネピン１６がダクトレール１と直交する方向に打ち込まれている。
【００２５】
上記のように構成したインバータケース２をダクトレール１に取付けるには、先ず、図３（ａ）のように、インバータケース２をダクトレール１と直角な向きにして、ボス部２ｄとともにバネピン１６をダクトレール１内に嵌入し、ボス部２ｄの上端２ｅをアース用接点レール５に底当たりさせる〔図２（ｂ）の状態〕。
【００２６】
この状態で、インバータケース２を約９０度で回動操作Ｒ３すると、ボス部２ｄとともにバネピン１６が約９０度で回動して、図２（ｂ）に二点鎖線で示すように、バネピン１６が係止用レール７に係止されるようになる。
【００２７】
この回動操作時に、レバー式取付け具８Ａのボス部材９がダクトレール１の側面に当接するのを防ぐために、図３（ｂ）（ｃ）のように、インバータケース２の一端部側を斜め下向きに傾ける。このインバータケース２を傾ける際には、環状のバネピン１６が回動軸となるので、スムーズに傾けることができる。
【００２８】
その後、ダクトレール１の真下で、インバータケース２を上向きに回動操作Ｒ４すると、図３（ｄ）のように、ボス部材９がダクトレール１内に嵌入するようになる。
【００２９】
そして、頂部のアース用接点１０をアース接点用レール５に底当てして接触させた状態で、レバー８ｂを約９０度で回動操作Ｒ１すると（図１参照）、ボス部材９とともに電源用接点１１と係止片１２とが約９０度で回動して、電源用接点１１が電源接点用レール６に接触すると同時に係止片１２が係止用レール７に係止されるようになる〔図４（ｂ）の二点鎖線参照〕。
【００３０】
上記のように、インバータケース２のボス部２ｄとバネピン１６とをダクトレール１内に嵌入して、インバータケース２を約９０度で回動操作すると、バネピン１６が係止用レール７に係止されるようになり、ついで、レバー式取付け具８Ａのレバー部８ｂを約９０度で回動操作すると、係止片１２が係止用レール７に係止されるようになるから、インバータケース２に従来のような複雑なダミーのレバー式取付け具８Ｂを設ける必要が無くなるとともに、ボス部２ｄとバネピン１６とは簡単な構造であるので、コスト安になる。
【００３１】
また、インバータケースの側壁２ｃから一体的にボス部２ｄを立ち上げたから、インバータケース２の側壁２ｃの成形と同時にボス部２ｄを形成できるので、よりコスト安になる。
【００３２】
さらに、ボス部２ｄにバネピン１６を打ち込むから、ボス部２ｄの成形用型が簡略化してコスト安になるとともに、既製の安価なバネピン１６を合理的に利用することができ、強度も充分に確保することができる。なお、ボス部２ｄにバネピン１６を打ち込むのではなく、ボス部２ｄから一体的に両側方へ突出させた係止部（第２係止片）を設けることも可能である。
【図面の簡単な説明】
【図１】本発明のインバータケースであり、（ａ）は平面図、（ｂ）は正面図である。
【図２】インバータケースであり、（ａ）は背面図、（ｂ）は（ａ）の側面図、（ｃ）はダクトレールとボス部のバネピンとの関係を示す拡大図である。
【図３】インバータケースの取付け要領であり、（ａ）はボス部をダクトレールに嵌入した状態の平面図、（ｂ）はインバータケースを回動させた状態の平面図、（ｃ）は（ｂ）の側面図、（ｄ）はインバータケースを上回動させた状態の側面図である。
【図４】従来のインバータケースであり、（ａ）は斜視図、（ｂ）はダクトレールとボス部材の係止片との関係を示す拡大図である。
【図５】インバータケースであり、（ａ）は平面図、（ｂ）は正面図である。
【符号の説明】
１      ダクトレール
２      インバータケース
２ｂ，２ｃ  両側壁
２ｄ    ボス部
６      電源接点用レール
７      係止用レール
８Ａ    レバー式取付け具
８ｂ    レバー部
９      ボス部材
１１    電源用接点
１２    係止片（第１係止片）
１５    回動式取付け具（第２係止片）
１６    金属製バネピン
【図１】
2005071622.tif 000003
【図２】
2005071622.tif 000004
【図３】
2005071622.tif 000005
【図４】
2005071622.tif 000006
【図５】
2005071622.tif 000007